(57)【要約】      （修正有）【課題】隣接する２台のエレベータを交換する場合に、１台毎にエレベータを交換する方法及び支持構造を提供する。【解決手段】  第１のエレベータ（１号機の既設エレベータ）１Ａの巻上機５を支持する第１のベース体１０と第２のエレベータ（２号機の既設エレベータ）１Ａの巻上機５を支持する第２のベース体１０とによって支持され第２のエレベータ１Ａの主ロープの一端を固定するロープ固定部材１５を、第１のベース体１０から取り外し、第２のベース体１０に補強連結する工程と、第１のエレベータ１Ａを第３のエレベータに交換する工程とを有する。【選択図】図４
2006256756.tif 000002
【特許請求の範囲】
【請求項１】
第１のエレベータの巻上機を支持する第１のベース体と第２のエレベータの巻上機を支持する第２のベース体とによって支持され前記第２のエレベータの主ロープの一端を固定するロープ固定部材を、前記第１のベース体から取り外し、前記第２のベース体に補強連結する工程と、
前記第１のエレベータを第３のエレベータに交換する工程と、
を有することを特徴とするエレベータの交換方法。
【請求項２】
前記ロープ固定部材を前記第１のベース体から取り外す前に、前記主ロープにより吊り下げられている前記第２のエレベータの乗りかご及びつり合いおもりを、前記主ロープとは別に支持し、前記ロープ固定部材にかかる荷重を除く工程を有することを特徴とする請求項１記載のエレベータの交換方法。
【請求項３】
前記第１のエレベータを前記第３のエレベータに交換する前に、前記第２のエレベータの乗りかご及びつり合いおもりに対する前記主ロープとは別の支持を解除する工程を有することを特徴とする請求項１記載のエレベータの交換方法。
【請求項４】
前記ロープ固定部材を前記第２のベース体に補強連結する工程では、前記第２のベース体と建物の受梁との間に架け渡された連結部により、前記第２のロープ固定部材を前記第２のベース体に補強連結することを特徴とする請求項１記載のエレベータの交換方法。
【請求項５】
建物の受梁間に架け渡され、乗りかご及びつり合いおもりを吊り下げる主ロープを巻き上げる巻上機を支持するベース体と、
前記ベース体に設けられ、前記主ロープの一端を固定する第１のロープ固定部材と、
前記ベース体に補強連結され、前記主ロープの他端を固定する第２のロープ固定部材と、
を備えることを特徴とするエレベータの支持構造。
【請求項６】
前記第２のロープ固定部材は、前記建物の受梁と前記ベース体との間に架け渡された連結部により、前記第２のベース体に補強連結されていることを特徴とする請求項５記載のエレベータの支持構造。
【請求項７】
前記連結部は、前記ベース体に設けられた第１の連結部材と、前記受梁に架けられて前記第１の連結部材に架け渡された第２の連結部材とから構成されていることを特徴とする請求項６記載のエレベータの支持構造。
【発明の詳細な説明】
【技術分野】
【０００１】
本発明は、エレベータの交換方法及びエレベータの支持構造に関する。
【背景技術】
【０００２】
現在、ビル等の建物に設置された既設エレベータの中には、その設置から十数年以上経過した旧タイプのエレベータが多く存在している。このようなエレベータは老朽化しており、その性能（例えば高速性、省電力性、安全性や意匠性等）も最近のエレベータに比べ劣っている。このため、既設エレベータを新しいエレベータに交換する需要は高く、その交換作業を行うリニューアル工事が行われている。
【０００３】
エレベータは、一般的に、利用者を乗せる乗りかご、つり合いおもり（カウンタウェイト）、それらを吊り下げる主ロープ及びその主ロープを巻き上げる巻上機等を備えている。このエレベータは、乗りかごを昇降させて乗りかご内の利用者を希望階に搬送する装置である。旧タイプのエレベータでは、巻上機は、建物の受梁に架け渡された一対のマシンビームによって支持されていることが多い。なお、特許文献１には、巻上機を交換する際の巻上機の支持構造が提案されている。
【０００４】
一方、高層ビルや大型マンション等の建物には、複数台のエレベータが並べて設けられていることが多い。この場合には、主ロープの一端を固定するロープ固定部材は複数台のエレベータ間、例えばマシンビーム間に架け渡されて設けられていることがある。このような状態の既設エレベータを撤去し、新しいエレベータに交換するリニューアル工事を行う場合には、１台の既設エレベータを撤去しようとすると、隣接する既設エレベータのロープ固定部材も同時に撤去することになるため、隣接する２台の既設エレベータを利用することができなくなってしまう。
【特許文献１】特公平３−１７７５６号公報
【発明の開示】
【発明が解決しようとする課題】
【０００５】
しかしながら、リニューアル工事を行う場合でも、エレベータを利用する利用者は、建物内で普段どおり仕事や生活をしているため、既設エレベータを２台同時に利用することができなくなると非常に不便である。このため、隣接する２台のエレベータを交換する場合には、１台毎にエレベータを交換する必要がある。
【０００６】
本発明の目的は、隣接する２台のエレベータを交換する場合に、１台毎にエレベータを交換することである。
【課題を解決するための手段】
【０００７】
本発明の実施の形態に係る第１の特徴は、エレベータの交換方法において、第１のエレベータの巻上機を支持する第１のベース体と第２のエレベータの巻上機を支持する第２のベース体とによって支持され第２のエレベータの主ロープの一端を固定するロープ固定部材を、第１のベース体から取り外し、第２のベース体に補強連結する工程と、第１のエレベータを第３のエレベータに交換する工程とを有することである。
【０００８】
本発明の実施の形態に係る第２の特徴は、エレベータの支持構造において、建物の受梁間に架け渡され、乗りかご及びつり合いおもりを吊り下げる主ロープを巻き上げる巻上機を支持するベース体と、ベース体に設けられ主ロープの一端を固定する第１のロープ固定部材と、ベース体に補強連結され主ロープの他端を固定する第２のロープ固定部材とを備えることである。
【発明の効果】
【０００９】
本発明によれば、隣接する２台のエレベータを交換する場合に、１台毎にエレベータを交換することができる。
【発明を実施するための最良の形態】
【００１０】
本発明を実施するための最良の一形態について図面を参照して説明する。本実施の形態では、複数台並べて設けられた既設エレベータ１Ａを１台毎に新設エレベータ１Ｂに交換するエレベータの交換方法及びその支持構造について説明する。なお、本実施の形態では、図１に示すように、既設エレベータ１Ａが例えば２台並べて設けられた場合について説明する。
【００１１】
（既設エレベータ）
まず、既設エレベータ１Ａの概略構成について説明する。
【００１２】
図１及び図２に示すように、既設エレベータ１Ａは、利用者を乗せる乗りかご２、つり合いおもり３、それらを吊り下げる主ロープ４及びその主ロープ４を巻き上げる巻上機５等を備えている。この既設エレベータ１Ａは、巻上機５の駆動により乗りかご２を昇降させて乗りかご２内の利用者を希望階に搬送する装置である。
【００１３】
このような既設エレベータ１Ａが設置される建物には、乗りかご２が昇降する昇降路６が設けられている。この昇降路６内には、建物の受梁Ｒ、及び乗りかご２を昇降方向に案内するレール（図示せず）等が設けられている。また、昇降路６内であって建物の受梁Ｒの上方には、機械室７が設けられている。この機械室７には、巻上機５やその巻上機５を駆動制御する制御盤８等が設けられている。なお、図１では、図の簡略化のため制御盤８を図示していない。
【００１４】
巻上機５は、メインシーブ９及びそのメインシーブ９を回転駆動させる駆動モータ（図示せず）等を備えている。この巻上機５は、駆動モータの回転力によりメインシーブ９を回転駆動させて乗りかご２を昇降させる。
【００１５】
このような巻上機５は、一対のマシンビーム１０上に載置されており、一対のマシンビーム１０により支持されている。一対のマシンビーム１０は、建物の受梁Ｒ間に架け渡されており、一対の受梁Ｒにより支持されている。マシンビーム１０は断面Ｈ字形状に形成されている。また、マシンビーム１０は受梁Ｒに溶接又はボルト固定されている。なお、このマシンビーム１０はベース体として機能する。
【００１６】
主ロープ４はメインシーブ９に巻き掛けられている。主ロープ４の一端は、かごシーブ１１を介して第１のロープ固定部材１２に接続固定されている。一方、主ロープ４の他端は、そらせシーブ１３及びおもりシーブ１４を介して第２のロープ固定部材１５に接続固定されている。かごシーブ１１は乗りかご２に設けられており、おもりシーブ１４はつり合いおもり３に設けられている。
【００１７】
第１のロープ固定部材１２は、一対のかごロープ固定ビーム１２ａと、その一対のかごロープ固定ビーム１２ａ間に設けられたかごロープ固定板１２ｂとから構成されている。このかごロープ固定板１２ｂには、主ロープ４の一端が固定されている。一対のかごロープ固定ビーム１２ａは、断面Ｈ字形状に形成されており、かごロープ固定板１２ｂを挟持して支持する。また、かごロープ固定板１２ｂは、板状に形成されており、一対のかごロープ固定ビーム１２ａに溶接又はボルト固定されている。
【００１８】
このような第１のロープ固定部材１２は、一対のマシンビーム１０間に位置付けられ、一対のマシンビーム１０により支持されている。このとき、かごロープ固定ビーム１２ａは一対のマシンビーム１０に溶接又はボルト固定されている。
【００１９】
第２のロープ固定部材１５は、一対のおもりロープ固定ビーム１５ａと、その一対のおもりロープ固定ビーム１５ａ間に設けられたおもりロープ固定板１５ｂとから構成されている。このおもりロープ固定板１５ｂには、主ロープ４の一端が固定されている。一対のおもりロープ固定ビーム１５ａは、断面Ｈ字形状に形成されており、おもりロープ固定板１５ｂを挟持して支持する。また、おもりロープ固定板１５ｂは、板状に形成されており、一対のかごロープ固定ビーム１５ａに溶接又はボルト固定されている。
【００２０】
このような第２のロープ固定部材１５は、既設エレベータ１Ａのマシンビーム１０と、それに隣接する既設エレベータ１Ａのマシンビーム１０との間に位置付けられ、それらにより支持されている。このとき、おもりロープ固定ビーム１５ａは、既設エレベータ１Ａのマシンビーム１０と、隣接する既設エレベータ１Ａのマシンビーム１０とに溶接又はボルト固定されている。
【００２１】
ここで、図１に示すように、建物の受梁Ｒがコの字形になっている場合には、２台の既設エレベータ１Ａの最端に位置する１号機の既設エレベータ１Ａの第２のロープ固定部材１５は、マシンビーム１０と受梁Ｒとの間に架け渡され、それらにより支持されている。なお、２号機の既設エレベータ１Ａの第２のロープ固定部材１５は、隣接する１号機の既設エレベータ１Ａのマシンビーム１０と共同して支持されている。
【００２２】
このような既設エレベータ１Ａは、制御盤８により巻上機５を駆動制御し、一方向にメインシーブ９を回転させて乗りかご２を上昇させ、また、その逆方向にメインシーブ９を回転させて乗りかご２を下降させることで、乗りかご２内の利用者を希望階に搬送する。
【００２３】
（新設エレベータ）
次に、既設エレベータ１Ａに換えて設置する新設エレベータ１Ｂの概略構成について説明する。
【００２４】
図３に示すように、新設エレベータ１Ｂも、既設エレベータ１Ａと同様に、利用者を乗せる乗りかご２、つり合いおもり３、それらを吊り下げる主ロープ４及びその主ロープ４を巻き上げる巻上機５等を備えている。この新設エレベータ１Ｂも、巻上機５の駆動により乗りかご２を昇降させて乗りかご２内の利用者を希望階に搬送する装置である。
【００２５】
また、既設エレベータ１Ａと同様に、昇降路６内には、建物の受梁Ｒ、及び乗りかご２を昇降方向に案内するレール（図示せず）が設けられている。また、昇降路６内であって建物の受梁Ｒの上方には、機械室７が設けられている。この機械室７には、巻上機５やその巻上機５を駆動制御する制御盤８等が設けられている。
【００２６】
巻上機５は、メインシーブ９及びそのメインシーブ９を回転駆動させる駆動モータ（図示せず）等を備えている。この巻上機５は、駆動モータの回転力によりメインシーブ９を回転駆動させて乗りかご２を昇降させる。
【００２７】
このような巻上機５は、一対のマシンビーム１０上に載置されており、一対のマシンビーム１０により支持されている。一対のマシンビーム１０は、建物の受梁Ｒ間に架け渡されており、一対の受梁Ｒにより支持されている。また、マシンビーム１０は断面Ｈ字形状に形成されている。このマシンビーム１０は受梁Ｒに溶接又はボルト固定されている。
【００２８】
主ロープ４はメインシーブ９に巻き掛けられている。主ロープ４の一端は乗りかご２に接続固定されている。一方、主ロープ４の他端はそらせシーブ１３を介してつり合いおもり３に接続固定されている。すなわち、乗りかご２は主ロープ４の一端に吊り下げられており、つり合いおもり３も主ロープ４の他端に吊り下げられている。
【００２９】
このような新設エレベータ１Ｂも、制御盤８により巻上機５を駆動制御し、一方向にメインシーブ９を回転させて乗りかご２を上昇させ、また、その逆方向にメインシーブ９を回転させて乗りかご２を下降させることで、乗りかご２内の利用者を希望階に搬送する。
【００３０】
（エレベータの交換方法）
このような構成において、図１に示すように並べて設けられた２台の既設エレベータ１Ａを新設エレベータ１Ｂに交換するエレベータの交換方法について説明する。なお、図５以外の図４から図９では、図の簡略化のため制御盤８を図示していない。
【００３１】
ここでは、２台の既設エレベータ１Ａを交換する際に１号機の既設エレベータ１Ａから交換する場合について説明する。なお、複数台の既設エレベータ１Ａを交換する際の交換順序は制約される場合が多く、例えば、既設エレベータ１Ａを群管理している場合等には、その親となる制御盤８を有する既設エレベータ１Ａを最後まで残すように交換順序が決定される。
【００３２】
本実施の形態に係る既設エレベータ１Ａの交換方法は、２号機の既設エレベータ（第２のエレベータ）１Ａの乗りかご２及びつり合いおもり３を主ロープ４とは別に支持する第１工程と、２号機の既設エレベータ１Ａの第２のロープ固定部材１５を１号機の既設エレベータ（第１のエレベータ）１Ａのマシンビーム（第１のベース体）１０から取り外す第２工程と、取り外した第２のロープ固定部材１５を２号機の既設エレベータ１Ａのマシンビーム（第２のベース体）１０に補強連結する第３工程と、１号機の既設エレベータ１Ａの交換前に乗りかご２及びつり合いおもり３の支持を解除する第４工程と、第２のロープ固定部材１５を取り外した１号機の既設エレベータ１Ａを新設エレベータ（第３のエレベータ）１Ｂに交換する第５工程と、その後、２号機の既設エレベータ１Ａを新設エレベータ（第４のエレベータ）１Ｂに交換する第６工程とから構成されている。
【００３３】
第１工程では、２号機の既設エレベータ１Ａの乗りかご２及びつり合いおもり３を主ロープ４とは別に固定支持し、第２のロープ固定部材１５にかかる荷重を取り除く。これにより、第１のロープ固定部材１２及び第２のロープ固定部材１５には、乗りかご２及びつり合いおもり３の荷重がかからなくなる。
【００３４】
ここで、支持方法としては、例えば建物の受梁Ｒやマシンビーム１０等に取り付けたチェーンブロックにより乗りかご２を最上階で支持し、さらに、最下階に設けたパイプ等の支柱によりつり合いおもり３を支持する方法がある。また、他の支持方法としては、例えば、昇降路６内のレールに取り付けた支持材により乗りかご２及びつり合いおもり３を支持する方法がある。
【００３５】
第２工程では、乗りかご２及びつり合いおもり３を主ロープ４とは別に支持した２号機の既設エレベータ１Ａの第２のロープ固定部材１５を１号機の既設エレベータ１Ａのマシンビーム１０から取り外す。なお、ここでは、２号機の既設エレベータ１Ａの第２のロープ固定部材１５を２号機の既設エレベータ１Ａのマシンビーム１０からも取り外し、さらに、第２のロープ固定部材１５のおもりロープ固定ビーム１５ａをおもりロープ固定板１５ｂから取り外して撤去する。
【００３６】
第３工程では、図４及び図５に示すように、取り外した第２のロープ固定部材１５、すなわちおもりロープ固定板１５ｂを連結部５０により２号機の既設エレベータ１Ａのマシンビーム１０に補強連結する。連結部５０はおもりロープ固定板１５ｂを４点支持する。連結部５０は、例えば建物の受梁Ｒ及び２号機の既設エレベータ１Ａのマシンビーム１０上に載置され、それらにより支持されている。
【００３７】
この連結部５０は、例えば、一対のマシンビーム１０に架け渡された一対の第１の連結部材５１と、受梁Ｒに架けられて一対の第１の連結部材５１に架け渡された一対の第２の連結部材５２とから構成されている。第２の連結部材５２は、一対の第１の連結部材５１に架け渡された一対の連結ビーム５２ａと、受梁Ｒ上に設けられ一対の連結ビーム５２ａを支持する連結ビーム５２ｂとから構成されている。なお、一対の連結ビーム５２ａはおもりロープ固定板１５ｂを挟持して支持する。このような連結部５０によって、第２のロープ固定部材１５は２号機の既設エレベータ１Ａのマシンビーム１０に補強連結される。
【００３８】
第１の連結部材５１、連結ビーム５２ａ及び連結ビーム５２ｂは、断面Ｈ字形状に形成されている。また、第１の連結部材５１は、マシンビーム１０に溶接又はボルト固定されている。連結ビーム５２ａは、第１の連結部材５１及び連結ビーム５２ｂに溶接又はボルト固定されている。連結ビーム５２ｂは、受梁Ｒに溶接又はボルト固定されている。おもりロープ固定板１５ｂも、連結ビーム５２ａに溶接又はボルト固定されている。
【００３９】
ここで、連結部５０の構成工程では、図４及び図５に示すように、例えば、受梁Ｒ上に連結ビーム５２ｂを載置して固定し、一対のマシンビーム１０上に一対の第１の連結部材５１を載置して固定し、その後、一対の第１の連結部材５１上に一対の連結ビーム５２ａを載置して固定し、最後に、一対の連結ビーム５２ａの間におもりロープ固定板１５ｂを設けて固定する。なお、一対の連結ビーム５２ａによりおもりロープ固定板１５ｂを挟持しながら、一対の第１の連結部材５１上に一対の連結ビーム５２ａを載置して固定するようにしてもよい。
【００４０】
第４工程では、１号機の既設エレベータ１Ａの交換前に、第１工程で支持した乗りかご２及びつり合いおもり３の支持を解除する。これにより、第１のロープ固定部材１２及び第２のロープ固定部材１５には、乗りかご２及びつり合いおもり３の荷重が再びかかるようになり、２号機の既設エレベータ１Ａの乗りかご２は昇降可能になる。
【００４１】
第５工程では、図６に示すように、２号機の既設エレベータ１Ａの第２のロープ固定部材１５を取り外した１号機の既設エレベータ１Ａを撤去し、新設エレベータ１Ｂに交換する（リニューアル工事）。これにより、図７に示すように、１号機の既設エレベータ１Ａが新設エレベータ１Ｂに交換される。このリニューアル工事中、利用者は２号機の既設エレベータ１Ａを利用することができる。
【００４２】
第６工程では、図８に示すように、２号機の既設エレベータ１Ａを撤去し、新設エレベータ１Ｂに交換する（リニューアル工事）。これにより、図９に示すように、２号機の既設エレベータ１Ａが新設エレベータ１Ｂに交換される。このリニューアル工事中、利用者は１号機の新設エレベータ１Ｂを利用することができる。
【００４３】
このように本実施の形態によれば、隣接する２台の既設エレベータ１Ａを交換する場合、２号機の既設エレベータ１Ａの第２のロープ固定部材１５を２号機の既設エレベータ１Ａのマシンビーム１０に補強連結することによって、２号機の既設エレベータ１Ａの第２のロープ固定部材１５は１号機の既設エレベータ１Ａのマシンビーム１０と共同せずに支持されるので、利用者は１号機の既設エレベータ１Ａの交換時にも２号機の既設エレベータ１Ａを利用することができる。また、その後、２号機の既設エレベータ１Ａを交換する際にも、利用者は１号機の新設エレベータ１Ｂを利用することができる。このようにして、隣接する２台の既設エレベータ１Ａを交換する場合でも、１台毎に既設エレベータ１Ａを交換することができる。このとき、利用者はリニューアル工事中でも既設エレベータ１Ａ又は新設エレベータ１Ｂを利用することができるので、利用者の利便性は向上する。
【００４４】
なお、他社の既設エレベータ１Ａを自社の新設エレベータ１Ｂに交換する場合には、通常、既設のマシンビーム１０は、他社の既設エレベータ１Ａに適合するビームであるため、自社の新設エレベータ１Ｂを設置する前に既設のマシンビーム１０を撤去する必要がある。また、マシンビーム１０を残したままでエレベータ交換を行う場合には、既設のマシンビーム１０の上に新たなマシンビーム１０を設置することになる。通常、機械室７のスペースは狭く、マシンビーム１０の積層により巻上機５やメインシーブ９等の設置が不可能になるため、既設のマシンビーム１０を撤去しないと新たなマシンビーム１０を設置することはできない。
【００４５】
また、２号機の既設エレベータ１Ａの乗りかご２及びつり合いおもり３を主ロープ４とは別に固定支持し、第２のロープ固定部材１５にかかる荷重を取り除くことによって、乗りかご２及びつり合いおもり３の荷重が第１のロープ固定部材１２及び第２のロープ固定部材１５にかからなくなるので、安全なリニューアル工事を行うことができる。
【００４６】
また、補強連結のために連結部５０を用いることで、簡単な構成で２号機の既設エレベータ１Ａの第２のロープ固定部材１５を２号機の既設エレベータ１Ａのマシンビーム１０に容易に補強連結することができる。さらに、一対の第１の連結部材５１及び一対の第２の連結部材５２により連結部５０を構成することで、制御盤８等の装置が１号機の既設エレベータ１Ａと２号機の既設エレベータ１Ａとの間に設けられている場合でも、その装置に干渉されずに２号機の既設エレベータ１Ａの第２のロープ固定部材１５を２号機の既設エレベータ１Ａのマシンビーム１０に補強連結することができる。
【００４７】
なお、本実施の形態においては、一対の第１の連結部材５１及び一対の第２の連結部材５２により連結部５０を構成しているが、これに限るものではなく、例えば、図１０に示すように、受梁Ｒ間に架け渡された第３の連結部材６１及び２号機の既設エレベータ１Ａのマシンビーム１０により連結部５０を構成してもよい。この場合には、第３の連結部材６１及びマシンビーム１０によりおもりロープ固定板１５ｂを挟持して支持する。なお、第３の連結部材６１は断面Ｈ字形状に形成されている。また、第３の連結部材６１は受梁Ｒに溶接又はボルト固定されている。おもりロープ固定板１５ｂは第３の連結部材６１やマシンビーム１０に溶接又はボルト固定されている。
【００４８】
同様に、本実施の形態においては、一対の第１の連結部材５１及び一対の第２の連結部材５２により連結部５０を構成しているが、これに限るものではなく、例えば一対の第１の連結部材５１のうち受梁Ｒ側に近い第１の連結部材５１を設けずに、受梁側から遠い第１の連結部材５１及び一対の第２の連結部材５２により連結部５０を構成してもよい。また、第２のロープ固定部材１５にかかる荷重に対して十分な強度を得ることができれば、１つの連結部材５１及び１つの連結部材５２により連結部５０を構成してもよい。
【００４９】
また、本実施の形態においては、連結部５０の一対の連結ビーム５２ａによりおもりロープ固定板１５ｂを挟持して支持しているが、これに限るものではなく、例えば一対の連結ビーム５２ａの上におもりロープ固定板１５ｂを載置して支持するようにしてもよい。
【００５０】
また、本実施の形態においては、２号機の既設エレベータ１Ａの第２のロープ固定部材１５を隣接する１号機の既設エレベータ１Ａのマシンビーム１０と共同して支持しているが、これに限るものではなく、例えば、２号機の既設エレベータ１Ａの第２のロープ固定部材１５と第１のロープ固定部材１２とを入れ換えて設置し、２号機の既設エレベータ１Ａの第１のロープ固定部材１２を隣接する１号機の既設エレベータ１Ａのマシンビーム１０と共同して支持するようにしてもよい。
【００５１】
最後に、本実施の形態においては、マシンビーム１０を断面Ｈ字形状に形成しているが、これに限るものではなく、さらに、マシンビーム１０を溶接又はボルト固定しているが、これに限るものではない（これは他の部材でも同様である）。
【図面の簡単な説明】
【００５２】
【図１】本発明の実施の一形態に係る既設エレベータの概略構成を示す平面図である。
【図２】図１のＦ１−Ｆ１線の縦断側面図である。
【図３】本発明の実施の一形態に係る新設エレベータの概略構成を示す縦断側面図である。
【図４】本発明の実施の一形態に係るエレベータの交換方法の流れを説明するための平面図である。
【図５】図４のＦ２−Ｆ２線の縦断側面図である。
【図６】本発明の実施の一形態に係るエレベータの交換方法の流れを説明するための平面図である。
【図７】本発明の実施の一形態に係るエレベータの交換方法の流れを説明するための平面図である。
【図８】本発明の実施の一形態に係るエレベータの交換方法の流れを説明するための平面図である。
【図９】本発明の実施の一形態に係るエレベータの交換方法の流れを説明するための平面図である。
【図１０】図４に示すエレベータの交換方法における連結部の一変形例を示す平面図である。
【符号の説明】
【００５３】
１Ａ    第１のエレベータ（既設エレベータ）、第２のエレベータ（既設エレベータ）
１Ｂ    第３のエレベータ（新設エレベータ）
２      乗りかご
３      つり合いおもり
４      主ロープ
５      巻上機
１０    ベース体（マシンビーム）
１２    第１のロープ固定部材
１５    第２のロープ固定部材
５０    連結部
５１    第１の連結部材
５２    第２の連結部材
Ｒ      受梁
【図１】
2006256756.tif 000003
【図２】
2006256756.tif 000004
【図３】
2006256756.tif 000005
【図４】
2006256756.tif 000006
【図５】
2006256756.tif 000007
【図６】
2006256756.tif 000008
【図７】
2006256756.tif 000009
【図８】
2006256756.tif 000010
【図９】
2006256756.tif 000011
【図１０】
2006256756.tif 000012